(57)【特許請求の範囲】
【請求項１】
通信ノード（１００）から、第１の有線市内交換局（４０）から第２の有線市内交換局（７０）にポートされた通信端末（２０）へ、入り呼びを経路選択する方法であって、前記方法が、
前記通信ノード（１００）から前記通信端末（２０）への呼び設定信号（２１０）を、前記第１の有線市内交換局（４０）で受信するステップと、
前記第１の有線市内交換局（４０）において、前記通信端末（２０）が前記第２の有線市内交換局（７０）にポートされたことを決定するステップと、
前記決定に応じ、前記第２の有線市内交換局（７０）を表すネットワークアドレスを格納した集中データベース（９０）に対して、前記ネットワークアドレスを前記通信ノード（１００）に直接提供することを要求するステップと、を含むことを特徴とする方法。
【請求項２】
前記呼び設定信号（２１０）は、さらに、前記通信ノード（１００）を表す第２のネットワークアドレスと、前記呼び設定信号（２１０）に関連付けられた呼び識別子と、を有することを特徴とする、請求項１記載の方法。
【請求項３】
前記呼び設定信号（２１０）は、信号化システム第７（ＳＳ７）通信ネットワーク内の初期アドレスメッセージ（ＩＡＭ）呼び設定信号からなり、前記第２のネットワークアドレスおよび前記呼び識別子が前記ＩＡＭ信号（２１０）内の任意パラメータ内に格納されることを特徴とする、請求項２記載の方法。
【請求項４】
前記集中データベース（９０）に対して、前記ネットワークアドレスを前記通信ノード（１００）に直接提供することを要求する前記ステップは、さらに、前記第２のネットワークアドレスを用いて、前記集中データベース（９０）に対して、前記ネットワークアドレスを前記通信ノード（１００）に送信することを要求するものであって、かつ前記第２のネットワークアドレスと前記呼び識別子とを含むコネクションレス信号（２７０）を、前記第１の有線市内交換局（４０）から前記集中データベース（９０）に伝送するステップからなることを特徴とする、請求項２記載の方法。
【請求項５】
通信ノード（１００）から、第１のホームロケーションレジスタ（ＨＬＲ）（１３０）から第２のホームロケーションレジスタ（ＨＬＲ）（１５０）にポートされた移動局（１２０）へ、入り呼びを経路選択する方法であって、
前記通信ノード（１００）から前記移動局（１２０）への呼び設定信号（２１０）を、前記第１のＨＬＲ（１３０）に関連付けられた第１のゲートウェイ移動体切替センター（ＧＭＳＣ）（１８０）で受信するステップと、
前記第１のＧＭＳＣ（１８０）において、前記移動局（１２０）が前記第２のＨＬＲ（１５０）にポートされたことを決定するステップと、
前記決定に応じ、前記第２のＨＬＲ（１５０）を表すネットワークアドレスを格納した集中データベース（９０）に対して、前記ネットワークアドレスを前記通信ノード（１００）に直接提供することを要求するステップと、を含むことを特徴とする方法。
【請求項６】
前記呼び設定信号（２１０）は、さらに、前記通信ノード（１００）を表す第２のネットワークアドレスと、前記呼び設定信号（２１０）に関連付けられた呼び識別子と、を有することを特徴とする、請求項５記載の方法。
【請求項７】
前記呼び設定信号（２１０）は、信号化システム第７（ＳＳ７）通信ネットワーク内の初期アドレスメッセージ（ＩＡＭ）呼び設定信号からなり、前記第２のネットワークアドレスおよび前記呼び識別子が前記ＩＡＭ信号（２１０）内の任意パラメータ内に格納されることを特徴とする、請求項５記載の方法。
【請求項８】
前記集中データベース（９０）に対して、前記ネットワークアドレスを前記通信ノード（１００）に直接提供することを要求する前記ステップは、さらに、前記第２のネットワークアドレスを用いて、前記集中データベース（９０）に対して、前記ネットワークアドレスを前記通信ノード（１００）に送信することを要求するものであって、かつ前記第２のネットワークアドレスと前記呼び識別子とを含むコネクションレス信号（２７０）を、前記第１のＧＭＳＣ（１８０）から前記集中データベース（９０）に伝送するステップからなることを特徴とする、請求項５記載の方法。
【請求項９】
前記移動局（１２０）がポートされたことを決定するステップは、さらに、前記第１のＨＬＲ（１３０）と通信するステップを含み、前記第１のＨＬＲ（１３０）は、前記第１のＧＭＳＣ（１８０）に対して、前記移動局（１２０）がポートされたことを通知することを特徴とする、請求項５記載の方法。
【請求項１０】
通信ノード（１００）から、第１の有線市内交換局（４０）から第２の有線市内交換局（７０）にポートされた通信端末（２０）へ、入り呼びを経路選択するシステムであって、前記第１の有線市内交換局（４０）は、さらに、前記第２の有線市内交換局（７０）を表すネットワークアドレスを格納するための集中データベース（９０）に関連付けられ、前記第１の有線市内交換局（４０）は、
前記通信ノード（１００）から前記通信端末（２０）への呼び設定信号（２１０）を受信するための手段と、
前記通信端末（２０）が前記第２の有線市内交換局（７０）にポートされたことを決定するための手段と、
前記決定に応じ、前記集中データベース（９０）に対して、前記ネットワークアドレスを前記通信ノード（１００）に直接提供することを要求するための手段と、を有することを特徴とするシステム。
【請求項１１】
前記呼び設定信号（２１０）は、さらに、前記通信ノード（１００）を表す第２のネットワークアドレスと、前記呼び設定信号（２１０）に関連付けられた呼び識別子と、を有することを特徴とする、請求項１０記載のシステム。
【請求項１２】
前記呼び設定信号（２１０）は、信号化システム第７（ＳＳ７）通信ネットワーク内の初期アドレスメッセージ（ＩＡＭ）呼び設定信号からなり、前記第２のネットワークアドレスおよび前記呼び識別子が前記ＩＡＭ信号（２１０）内の任意パラメータ内に格納されることを特徴とする、請求項１１記載のシステム。
【請求項１３】
前記集中データベース（９０）に対して、前記ネットワークアドレスを前記通信ノード（１００）に直接提供することを要求する前記手段は、さらに、前記第２のネットワークアドレスを用いて、前記集中データベース（９０）に対して、前記ネットワークアドレスを前記通信ノード（１００）に送信することを要求するものであって、かつ前記第２のネットワークアドレスと前記呼び識別子とを含むコネクションレス信号（２７０）を、前記第１の有線市内交換局（４０）から前記集中データベース（９０）に伝送する手段からなることを特徴とする、請求項１１記載のシステム。
【請求項１４】
通信ノード（１００）から、第１のホームロケーションレジスタ（ＨＬＲ）（１３０）から第２のホームロケーションアドレス（ＨＬＲ）（１５０）にポートされた移動局（１２０）へ、入り呼びを経路選択するシステムであって、前記第１のＨＬＲ（１３０）は、さらに、前記第２のＨＬＲ（１５０）を表すネットワークアドレスを格納するための集中データベース（９０）と、入り呼びを受信するための第１のゲートウェイ移動体切替センター（ＧＭＳＣ）（１８０）とに関連付けられ、前記第１のＧＭＳＣ（１８０）は、
前記通信ノード（１００）から前記移動局（１２０）への呼び設定信号（２１０）を受信するための手段と、
前記移動局（１２０）が前記第２のＨＬＲ（１５０）にポートされたことを決定するための手段と、
前記決定に応じ、前記集中データベース（９０）に対して、前記通信ノード（１００）に前記ネットワークアドレスを直接提供することを要求するための手段と、を有することを特徴とするシステム。
【請求項１５】
前記呼び設定信号（２１０）は、さらに、前記通信ノード（１００）を表す第２のネットワークアドレスと、前記呼び設定信号に関連付けられた呼び識別子とを有することを特徴とする、請求項１４記載のシステム。
【請求項１６】
前記呼び設定信号（２１０）は、信号化システム第７（ＳＳ７）通信ネットワーク内の初期アドレスメッセージ（ＩＡＭ）呼び設定信号からなり、前記第２のネットワークアドレスと前記呼び識別子は前記ＩＡＭ信号（２１０）内の任意パラメータ内に格納されることを特徴とする、請求項１５記載のシステム。
【請求項１７】
前記集中データベース（９０）に対して、前記ネットワークアドレスを前記通信ノード（１００）に直接提供することを要求する前記手段は、さらに、前記第２のネットワークアドレスを用いて、前記集中データベース（９０）に対して、前記ネットワークアドレスを前記通信ノード（１００）に送信することを要求するものであって、かつ前記第２のネットワークアドレスと前記呼び識別子とを含むコネクションレス信号（２７０）を、前記第１のＧＭＳＣ（１８０）から前記集中データベース（９０）に伝送する手段からなることを特徴とする、請求項１６記載のシステム。
【請求項１８】
前記移動局（１２０）がポートされたことを決定する手段は、さらに、前記第１のＨＬＲ（１３０）と通信するステップを含み、前記第１のＨＬＲ（１３０）は、前記第１のＧＭＳＣ（１８０）に対して、前記移動局（１２０）がポートされたことを通知することを特徴とする、請求項１５記載のシステム。
【発明の詳細な説明】
関連出願に対する相互参照
この出願は、ここでの参照によってこの出願に包含される、「Ｄｏｗｎｌｏａｄｉｎｇ  ｏｆ  Ｒｏｕｔｉｎｇ  Ｎｕｍｂｅｒｓ  Ｔｏ  Ｄｏｎｏｒ  Ｓｗｉｔｃｈｅｓ  Ｗｉｔｈｉｎ  Ａ  Ｔｅｌｅｃｏｍｍｕｎｉｃａｔｉｏｎｓ  Ｎｅｔｗｏｒｋ（番号を通信網内の供与スイッチへ導くダウンロード方法）」と題する、１９９６年６月３日に出願された特許出願番号第０８／６５７，４０３号の米国出願に関連する。
発明の背景
発明の技術分野
本発明は、通信網に係り、特に、入り呼び（着信呼）を通信網内の接続確立された通信端末に再経路（ｒｅｒｏｕｔｉｎｇ）選択する方法に関する。
関連技術の説明
特定の通信網と関連した各通信端末には、入り呼びを受信するための単一の識別番号が割り当てられている。移動通信用グローバルシステム（ＧＳＭ）あるいはパーソナル通信システム（ＰＣＳ）内では、各移動局に、移動局総合サービスデジタル網（ＭＳＩＳＤＮ）番号として知られた単一の識別番号が割り当てられる。同様に、特定の加入電話回線（公衆回線網ＰＳＴＮ）に接続された各有線通信端末には、単一の電話（ディレクトリ）番号が割り当てられる。呼び者が特定の通信端末と通信することを欲するときはいつでも、そのようなＭＳＩＳＤＮすなわち電話（ディレクトリ）番号がダイヤルされる。一部のダイヤルされた番号を解析することによって、通信網は、呼び相手（被呼者）側の端末と関連した家庭用ＰＳＴＮ又はＰＬＭＮ加入電話回線（Ｐｕｂｌｉｃ  Ｌａｎｄ  Ｍｏｂｉｌｅ  Ｎｅｔｗｏｒｋ）を決定し、その呼びを、呼び相手側の端末を受け持っている宛先通信ノードへ経路選択（ルート）する。
通信加入者が、ある都市から他の都市に、すなわちある地理的領域から他の地理的領域に移動するとき、彼らは、たびたび第１の通信サービスプロバイダーによって受け持たれる第１のサービス領域から第２の通信サービスプロバイダーによって受け持たれる第２のサービス領域に移動することになる。移動によって、通信特定加入者と既存の第１の通信サービスプロバイダーとの加入者契約が終了され、第２の通信サービスプロバイダーとの新たな加入契約が確立される必要がある。しかし、特定系列のＭＳＩＳＤＮすなわちディレクトリ番号が、各通信サービスプロバイダー、すなわち、さらに詳細には、関連のＰＬＭＮあるいはＰＳＴＮ内の各通信ノード（例えば、市内交換局あるいはホームロケーションレジスタ）に予め割り当てられる。従って、ある通信網から他の通信網に移動することによって、通信加入者すなわち関連の端末には、新たな第２の通信サービスプロバイダーに予め割り当てられた系列内の新たなＭＳＩＳＤＮすなわちディレクトリ番号が割り当てられる必要がある。通信ユーザは、自分の新たなＭＳＩＳＤＮすなわちディレクトリ番号をすべての関係者に通知しなければならないため、割り当てられたＭＳＩＳＤＮすなわちディレクトリ番号を変更することは、ある程度厄介な手続きである。
米国電話電信会社（ＡＴ＆Ｔ）は、加入者のディレクトリ番号を変更することなくある領域すなわち通信網から他の領域に移動する当該加入者の有線端末と関連する類似した問題の幾つかを軽減するために、位置経路指定番号（ＬＲＮ）の使用の考え方を提案している。ＬＲＮ概念によれば、その有線端末を現に受け持っている端局を表すネットワークアドレスを格納する集中データベースが、加入電話回線（ＰＳＴＮ）内の中継スイッチすなわちサービス切替点（ＳＳＰ）によって照会され、入り呼びを正しい端局に経路選択する。
ここでの参照によってこの出願に含まれる、「Ｒｏｕｔｉｎｇ  Ａｎ  Ｉｎｃｏｍｉｎｇ  ｃａｌｌ  Ｔｏ  Ａ  Ｐｏｒｔｅｄ  Ｍｏｂｉｌｅ  Ｓｔａｔｉｏｎ  Ｗｉｔｈｉｎ  Ａ  Ｔｅｌｅｃｏｍｍｕｎｉｃａｔｉｏｎｓ  Ｎｅｔｗｏｒｋ（入り呼びを通信網内の接続確立された移動局に経路選択する方法）」と題する、１９９６年６月３日に出願されたグンシンチェン（Ｇｕｎ−Ｓｈｉｎ  Ｃｈｉｅｎ）の特許出願番号第０８／６５６，７２３号の米国出願（以後、チェン出願として参照する）は、さらに、家庭用移動電話網（ＰＬＭＮ）、さらに詳細には、その番号が最初に割り当てられたホームロケーションレジスタ（ＨＬＲ）すなわちＰＬＭＮではなく、接続確立された移動局を現に受け持っている特定のＰＬＭＮ内のＨＬＲを表すネットワークアドレスを持つ特定のＭＳＩＳＤＮと相関するデータを格納するための集中データベースを維持するシステムおよび方法を開示している。従って、集中データベースが照会されるとき、接続確立又はポート接続された（ｐｏｒｔｅｄ）移動局を受け持っている現在のＨＬＲを表すネットワークアドレスが戻される。
たとえ、チェン出願およびＬＲＮ概念が、入り呼びを通信網内の接続確立された通信端末（例えば、有線端末や移動局）へ経路選択することを可能にするとしても、ある応用に対して最適とは言えないあるシステム特性が存在する。
その通信網は、呼び相手側の通信端末が、受信したＭＳＩＳＤＮすなわちディレクトリ番号を解析することだけによってのみ接続確立されたのかどうか、決定することができない。所定の系列内のひとつの通信ノード番号のみが特定のＰＬＭＮまたはＰＳＴＮから接続確立された場合には、その特定のＰＬＭＮまたはＰＳＴＮに向けられたすべての入り呼びが集中データベースに非効率的に照会されなければならない。例として、２１４−５５５−ＸＸＸＸ系列から、ただひとつの通信ノード番号が接続確立されるとしても、２１４−５５５−ＸＸＸＸ番号のそれぞれのおよびすべての入り呼びが、集中データベースに照会されなければならない。
そのような網羅的な照会（ｑｕｅｒｙ）機構は、非効率的であるとともに、無駄である。従って、接続確立された通信端末を受け持つ現在のＰＬＭＮまたはＰＳＴＮに対する着信信号を再経路選択するために集中データベースに対して行う照会数を低減させる機構が必要である。
発明の要約
通信ノード内の第１の通信ノードは、特定のディレクトリ番号を割り当てられた通信端末に対する呼び設定信号を受信する。第１の通信ノードは、呼び側通信端末および信号切替点（ＳＳＰ）すなわち中継スイッチに接続された発呼スイッチを有する。受信したディレクトリ番号を解析することによって、第１の通信ノードは、受信した入り呼びを、解析したディレクトリ番号と関連する第２の通信ノードへ経路選択する。受信した呼び設定信号に応答して、第２の通信ノードは、呼び相手側の通信端末が、他のノードに接続確立されたことを決定する。第２の通信ノードから接続確立された通信端末を受け持っている新たな第３の通信ノードを表すネットワークアドレスを格納する集中データベースに、コネクションレス信号が送信される。その送信された信号は、ネットワークアドレスを第１の通信ノードに与えるように、集中データベースに要求する。その後、集中データベースからのネットワークアドレスの受信に応答して、第１の通信ノードは、受信した入り呼びを、接続確立された通信端末を現に受け持っている第３の通信ノードに再経路選択する。
一実施例においては、その通信端末は、第１の有線市内交換局から第２の有線市内交換局に接続確立された有線加入者端末である。他の実施例においては、その通信端末は、第１のホームロケーションレジスタ（ＨＬＲ）から第２のＨＬＲに接続確立された移動局である。
【図面の簡単な説明】
添付図面と関連して与えらる以下の詳細な説明を参照することによって、本発明の方法および装置のさらに完全な理解が得られるであろう。
図１は、入り呼びを接続確立された有線加入者端末に経路選択する方法を説明している通信網のブロック図である。
図２は、入り呼びを接続確立された移動局に経路選択する方法を説明している通信網のブロック図である。
図３は、入り呼びを照会低減構成を使用している接続確立された通信端末に経路選択する方法を説明している通信網のブロック図である。
図４は、本発明の教えに従って、入り呼びを接続確立された有線加入者端末に経路選択する方法を説明している通信網のブロック図である。
図５は、入り呼びを接続確立された有線加入者端末に経路選択する方法を説明している信号シーケンスチャートである。
図６は、本発明の教えに従って、入り呼びを接続確立された移動局に経路選択する方法を説明している通信網のブロック図である。
図面の詳細な説明
図１は、入り呼びを接続確立された有線加入者２０に経路選択する方法を説明している通信網１０のブロック図である。通常、呼び相手側有線加入者端末と関連したダイヤルされたディレクトリ番号は、第１のＰＳＴＮ５０内のどの通信ノード４０が呼び相手側と関連しているかを指示するので、以後呼び側端末（ＣｇＴ）３０として参照される呼び側有線加入者端末すなわち呼び側移動局からのすべての入り呼びは、第１の有線通信ノード４０に経路設定される。しかし、番号移植性の概念によって、そして加入者の移動６０によって表されるように、加入者は、現在の第１の通信ノード４０との加入契約を終了させ、ディレクトリ番号を変更することなく新たなＰＳＴＮ８０内の第２の通信ノード７０と登録する。経路設定された有線加入者端末２０を受け持っている新たな通信ノード７０を正しく反映するようにディレクトリ番号が更新されていないので、すべての将来の入り呼びは、まだ、ディレクトリ番号が最初に割り当てられている元のＰＳＴＮ５０に経路設定される。
従って、入り呼びを第２のＰＳＴＮ８０内の第２の通信ノード７０に適切に再経路設定するために、接続確立された優先端末２０を現に受け持っているローカルスイッチを表しているネットワークアドレスを記憶しているメモリレジスタ２６０を有する集中データベース９０が、呼びパス内の最後手前の信号ネットワークすなわちノード（Ｎ−１）１００によって照会される。最後手前（Ｎ−１）の信号ネットワークすなわちノード内の中継（タンデム）スイッチすなわちサービス切替点（ＳＳＰ）がその照会を実行し、その呼びを経路選択する。代替案として、呼び側端末３０を受け持っている最初の通信ノード１１０が、さらに直接集中データベース９０に照会を行い、受持ちの通信ノード７０のネットワークアドレスを決定する。もし最初の通信ノード１１０が照会能力を持たない場合には、将来の経路選択機構を用いて、呼び設定信号が、有線端末２０を表しているダイヤルされたディレクトリ番号によって特定されるとおり、第１の通信ノード４０に向かって経路選択される。呼び設定信号が照会能力のあるＳＳＰすなわち中継スイッチ１００によって受信されると、ＳＳＰすなわち中継スイッチ１００が、集中データベース９０へのデータベース照会を実行する。そのような集中データベース９０は、番号移動データベース（ＮＰ−ＤＰ）として知られており、インテリジェントネットワーク（ＩＮ）内にサービス制御点（ＳＣＰ）を有する。集中データベースは、各接続確立されたディレクトリ番号を、その接続確立された端末を受け持っている新たな有線通信ノードを表すネットワークアドレスと相関付ける相関データを格納する。その結果、接続確立された有線加入者端末２０を現に受け持っている第２の通信ノード７０を表すネットワークアドレスが、照会している通信ノード１００に与えられる。与えられたネットワークアドレスを利用して、照会している通信ノードが、呼び設定信号を、直接経路選択された有線端末２０を受け持っている新たな通信ノード７０に経路選択する。図示のように、ＳＳＰすなわち中継スイッチ１００は、検索したネットワークアドレスを、信号化システムＮｏ．７（ＳＳ７）通信網上で、例えば初期アドレスメッセージ（ＩＡＭ）などの、送信された呼び設定信号における新たな呼び相手側番号（ＣｄＰｎ）として使用する。有線端末２０を表す最初にダイヤルされたディレクトリ番号もまた、ＩＡＭ信号内の包括的アドレスパラメータ（ＧＡＰ）に含まれ、受け持ち通信ノードに「ピギーバック（ｐｉｇｇｙ−ｂａｃｋ）」する。ＣｄＰｎは、第２の通信ノード７０に向くので、ＩＡＭ信号は、ダイヤルされたディレクトリ番号によって指示された第１の通信ノード４０に代わって、第２の通信ノード７０に再経路選択される。一度、ＩＡＭ信号が第２の通信ノード７０によって受信されると、接続確立された有線加入者端末２０を表すカプセル化ディレクトリ番号が、ＧＡＰから抽出され、ラインモジュール（ＬＭ）を指標することによって、有線端末２０の物理的位置が決定され、そして接続確立された有線加入者端末によって、呼び接続が確立される。
図２を参照する。ここでは、第１の移動電話網（ＰＬＭＮ）内の第１のホームロケーションレジスタ（ＨＬＲ）１３０と関連した移動局１２０が、第２のＰＬＭＮ１６０内の第２のＨＬＭ１５０に再配置すなわち接続確立（ＰＬＭＮ間番号移動）する状態が示されている。移動局１２０は、ホームＰＬＭＮとして第１のＰＬＭＮ１４０によってはじめに登録される。
通常、ＰＳＴＮ１７５または他のＰＬＭＮのいずれかからのすべての入り呼びは、第１のＰＬＭＮ１４０内の第１のゲートウェイ移動体切替センター（ＧＭＳＣ）によって受信され、従って割り当てられた第１のＨＬＲ１３０に問い合わせを行うことによって、（図２に示されていない）ＭＳＣに経路選択される。ダイヤルされた移動電話加入者統合サービスデジタル通信網（ＭＳＩＳＤＮ）は、ホームＰＬＭＮ１４０内のどのＨＬＲが呼び相手側の移動局１２０に関連した必要な加入者情報を記憶しているかを示す値を含んでいるので、第１のＧＭＳＣ１８０は、入り呼びを受け持ちのＭＳＣ（図２に図示せず）に対して適切に経路選択をする。その結果、第１のＧＭＳＣ１８０は、受信したＭＳＩＳＤＮ番号を解析し、適切なＨＬＲを決定し、決定したＨＬＲから経路選択指令を要求し、その後入り呼びを適切なＭＳＣに経路選択する。
再び、番号移動の概念に従って、および再配置１７０によって表されるように、移動局１２０は、現在のＨＬＲ１３０（供与又はドナーＨＬＲ）との加入契約を終了し、自己のＭＳＩＳＤＮ番号を変更せずに、新たなＰＬＭＮ１６０（取得ＰＬＭＮ）内の新たなＨＬＲ１５０と登録を行う。しかし、ＭＳＩＳＤＮ番号は、新たなＨＬＲ１５０（取得又はゲイニングＨＬＲ）および新たなＰＬＭＮ１６０（取得ＰＬＭＮ）を反映するように、移動局１２０において更新されていないため、すべての将来の入り呼びは、まだ元のＰＬＭＮ（供与ＨＬＲ）に経路選択される。第１のＧＭＳＣ１８０（供与ＧＭＳＣ）はもはや、受信したＭＳＩＳＤＮ番号を単純に解析することによって、加入者情報を記憶している正しいＨＬＲを決定することができないので、供与ＰＬＭＮ１４０内の供与ＧＭＳＣ１８０は、受信した入り呼びを再配置された移動局１２０に再経路選択することができない。
図１に示された入り呼びを接続確立された有線加入者端末に再経路選択する方法と類似の方法で、取得ＧＭＳＣ２００および特に取得ＨＬＲ１５０を表すネットワークアドレスを記憶しているメモリレジスタ２６０を持つ集中データベース９０は、呼びパス内の最後手前の信号ネットワークすなわちノード１００による照会を受ける。代替案として、呼び側加入者端末３０と関連した発呼スイッチ１１０が、さらに直接集中データベース９０に照会を行い、取得ＧＭＳＣ２００およびＨＬＲ１５０を表すネットワークアドレスを得る。もし発呼スイッチ１１０が照会能力を持たない場合には、従来の経路選択機構を用いて、呼び設定信号が、接続確立された移動局１２０と関連したダイヤルされたＭＳＩＳＤＮ番号によって特定されるとおり、供与ＰＬＭＮ１４０を受け持つ供与ＧＭＳＣ１８０に向って経路選択される。呼び設定信号が照会能力のあるＳＳＰすなわち中継スイッチ１００によって受信されると、ＳＳＰすなわち中継スイッチ１００が、集中データベース９０へのデータベース照会を実行する。照会要求に応答して、集中データベース９０が、接続確立された移動局１２０を現に受け持っている取得ＧＭＳＣ２００またはＨＬＲ１５０を表すネットワークアドレスを要求ノード１００に戻す。ＳＳＰは、その後、例えば初期アドレスメッセージ（ＩＡＭ）などの送信した呼び設定信号の新たな呼び相手側の番号（ＣｄＰｎ）として、検索されたネットワークアドレスを使用する。接続確立された移動局１２０を表す最初にダイヤルされたＭＳＩＳＤＮ番号もまた、ＩＡＭ信号内の包括アドレスパラメータ（ＧＡＰ）中に含まれ、取得ＧＭＳＣ２００にピギーバック（ｐｉｇｇｙ−ｂａｃｋ）する。ＣｄＰｎは、取得ＧＭＳＣ２００に向くので、ＩＡＭ信号は、供与ＧＭＳＣ１８０に代わって取得ＧＭＳＣ２００に対して経路選択される。呼び設定信号を受信すると、取得ＧＭＳＣ２００は、ＧＡＰパラメータから含まれているＭＳＩＳＤＮを抽出し、接続確立された移動局１２０を現に受け持っている取得ＨＬＲ１５０を決定し、そして接続確立された移動局１２０を現に受け持っている適切なＭＳＣ（図２に示されていない）から経路選択指令を要求し、受信した呼び設定信号を受け持ちＭＳＣに再経路選択する。
たとえ上記集中データベース９０が、入り呼びを通信網内の接続確立された通信端末（例えば、有線端末および移動局）に経路選択することが可能であるとしても、ある応用に対して最適とは言えないあるシステム特性が存在する。
その通信網は、呼び相手側の通信端末（すなわち、無線および有線端末）が、受信したＭＳＩＳＤＮすなわちディレクトリ番号を解析することだけによってのみ接続確立されたのかどうかを決定できない。所定の系列内のひとつの通信ノード番号のみが特定のＰＬＭＮまたはＰＳＴＮから接続確立された場合には、その特定のＰＬＭＮまたはＰＳＴＮに向けられたすべての入り呼びが集中データベースに非効率的に照会されなければならない。例として、２１４−５５５−ＸＸＸＸ系列から、ただひと通信ノード番号が接続確立されるとしても、２１４−５５５−ＸＸＸＸ番号のそれぞれのおよびすべての入り呼びが、集中データベースに照会されなければならない。たとえ、呼びが供与ＰＬＭＮ内の移動局によって発せられるとしても、これは真である。そのような網羅的な照会機構は、非効率的であるとともに無駄である。
集中データベースに対して行なわれる網羅的な照会を行わないようにするために、いくつかの通信サービスプロバイダーおよびベンダーによって、数多くの異なる照会低減構成が紹介されている。そのような照会低減構成のひとつが、図３に示されるような「リリースについての照会」である。呼び側加入者端末３０（例えば、有線加入者端末あるいは移動局）は、呼び相手側番号として割り当てられたディレクトリ番号すなわちＭＳＩＳＤＮ番号を使用する特定の呼び相手側通信端末に向けて呼び接続を要求する。呼び設定信号は、呼び側加入者端末３０に接続された（図３に示されていない）最初の通信スイッチによって発信され、次に、Ｎ−１ネットワークすなわちスイッチ１００によって受信される。そのようなＮ−１スイッチ１００は、ＳＳＰすなわち中継スイッチを有し得る。いかなるデータベース照会も行うことなく、入り呼び接続が、受信したＭＳＩＳＤＮすなわちディレクトリ番号（信号２１０）によって指示されたホームＰＬＭＮまたはＰＳＴＮに経路選択される。呼び相手側加入者端末が有線端末の場合には、ダイヤルされた呼び相手側加入者端末に割り当てられた供与ローカルスイッチ４０は、ＩＡＭなどの呼び設定信号を受信し、その番号が接続確立されていることを決定する。例えば、供与ローカルスイッチ４０は、割り当てられたディレクトリ番号へのライン接続がないことを確かめることによって、そのような決定を行うことができる。代替案として、受信したディレクトリ番号が接続確立されていることを示す供与ローカルスイッチ４０内のレジスター３００がある。そのような決定に応答して、第１の呼び設定信号の結果としてＮ−１スイッチに第１の呼び接続を要求する他の統合サービスデジタル通信網ユーザパート（ＩＳＵＰ）基準信号２２０が、供与ローカルスイッチ４０から送信される。リリースなどの送信されたＩＳＵＰ信号２２０は、さらに、呼び相手側番号が接続確立され、Ｎ−１スイッチがデータベース照会を行って新たな取得ローカルスイッチを決定すべきであることを示すデータを有する。その結果、Ｎ−１スイッチ１００が、信号に基づいたインテリジェントネットワーク（ＩＮ）あるいは信号２３０に基づいた信号化制御接続パート（ＳＣＣＰ）等の、データベース照会信号を集中データベース９０に送信する。集中データベース９０は、取得ＰＬＭＮまたはＰＳＴＮ内の取得ノードを表わすネットワークアドレスをレジスタ２６０から取り込み、取り込んだネットワークアドレスを要求しているＮ−１スイッチに戻す（信号２４０）。呼び相手側の加入者端末が有線端末に接続確率されている場合には、その取り込まれたネットワークアドレスは、取得ＰＳＴＮ内の取得ローカルスイッチ７０を表わす。他方、呼び相手側の加入者端末が移動局に接続確率されている場合には、その取り込まれたネットワークアドレスは、取得ＧＭＳＣ２００、すなわちさらに詳細には、取得ＰＬＭＮ内の取得ＨＬＲ（図３に示さず）を表わす。
取得通信ノードを表わすネットワークアドレスが、Ｎ−１スイッチ１００によって受信された後、受信された呼び設定信号２５０は、新たなＣｄＰｎとして受信したネットワークアドレスを用いて取得通信ノード７０／２００に再経路選択される。呼び相手側の加入者端末２０／１２０と関連した発信ＭＳＩＳＤＮすなわちディレクトリ番号は、さらに、従来の方法で新たなＩＡＭ信号内のＧＡＰに含まれる。その結果、取得ＰＬＭＮまたはＰＳＴＮに対する新たな呼び接続が確立され、呼び側加入者端末３０と接続確立された呼び相手側の加入者端末２０／１２０との通信が可能となる。
たとえ、上述の「リリースについての照会」機構が、Ｎ−１スイッチ１００の、接続確立されたディレクトリ番号すなわちＭＳＩＳＤＮ番号のみに対し集中データベースへの問い合わせを可能にするとしても、ある不所望なシステム特性が存在する。とりわけ、ＩＳＵＰリリース信号は、その番号が接続確立されたことを示す新たなパラメータを有するように変更される必要がある。その結果、米国国内基準協会（ＡＮＳＩ）または国際通信連合（ＩＴＵ）等の適当な基準および政府機関が、信号プロトコルへの変更をレビューし、承認する必要がある。Ｎ−１スイッチ１００は、さらに供与ノード４０／１８０からのリリース信号を待ち、その後集中データベース９０に新たなネットワークアドレスを問い合わせる必要がある。
図４および図５を参照する。これらの図は、本発明の教えによって、入り呼びを接続確立された有線加入者端末２０に経路選択する方法を示している。有線加入者端末２０は、供与ローカルスイッチ４０から取得ローカルスイッチ７０に接続確立されている。従って、集中データベース９０内のレジスタ２６０は、取得ローカルスイッチ７０を表わすネットワークアドレスを格納する。
呼び側加入者端末３０は、呼び相手側加入者端末２０との呼び接続を要求する。上述のように、ＩＡＭなどの呼び設定信号は、Ｎ−１スイッチ１００によって受信される。もし、呼び側加入者端末３０に接続された発呼スイッチ（図４に図示せず）が、照会可能であれば、そのＮ−１スイッチが、発呼スイッチであり得る。集中データベース９０への照会数を低減させるために、Ｎ−１スイッチ１００は、呼び設定信号２１０を、ダイヤルされたディレクトリ番号と関連した有線端末がすでに取得ローカルスイッチに接続確立されていることを知らない、受信されたディレクトリ番号によって表わされるローカルスイッチに、直接、経路選択する。送信されたＩＡＭ信号内の任意パラメータは、さらに、Ｎ−１スイッチ１００を表わす第２のネットワークアドレスと入力する呼び設定信号を表わす呼び識別子を有する。その結果、供与ローカルスイッチ４０は呼び設定信号を受信し、特定の呼び相手側ディレクトリ番号が接続確立されたことを決定する。上述のように、供与ローカルスイッチ４０は、特定のディレクトリ番号に割り当てられるラインコネクションがないことを確信することによって、ディレクトリ番号が接続確立していることを決定できる。さらに、レジスタ３００は、ダイヤルされたディレクトリ番号が接続確立されていることを示すデータを格納する。そのような決定に応答して、供与ローカルスイッチ４０は、接続確立された有線加入者端末２０に割り当てられたディレクトリ番号を持つ、ＳＣＣＰ基準信号２７０などのコネクションレス信号を、集中データベース９０に送信する。送信されたコネクションレス信号２７０は、さらに、Ｎ−１スイッチ１００を表わす第２のネットワークアドレスと入力呼び接続を表わす呼び識別子を有する。その後、集中データベース９０は、有線加入者端末２０が接続確立された取得ローカルスイッチ７０を表わすネットワークアドレスを取り込む。受信した第２のネットワークアドレスを行き先アドレスとして用いることによって、取得ローカルスイッチ７０を表わす取り込みネットワークアドレスを含んでいる信号２８０が、Ｎ−１スイッチ１００に送信される。送信された信号２８０は、さらに、供与ローカルスイッチ４０から受信した呼び識別子を有する。
集中データベース９０から信号２８０を受信すると、Ｎ−１スイッチ１００は、その番号が接続確立されたことを明確に理解し、含まれた呼び識別子によって特定される入り呼び接続を確立し、そして第１の呼び設定信号によって確立される呼び接続２１０を供与ローカルスイッチ４０にリリースする。従来法においては、Ｎ−１スイッチ１００は、新たな呼び設定信号２５０を受信したネットワークアドレスによって表わされる取得ローカルスイッチ７０に送信する。上述のように、最初にダイヤルされたディレクトリ番号が、さらにＧＡＰに含まれている。従って、呼び側加入者端末３０と接続確立された呼び相手側有線加入者端末２０との間の呼び接続が確立される。
図６は、本発明の教えに従って、入り呼びを接続確立された移動局に経路選択する方法を説明している通信網のブロック図である。呼び側加入者端末３０（例えば、有線加入者端末および移動局）は、供与ＨＬＲ１３０から取得ＨＬＲ１５０へ接続確立された呼び相手側移動局方向への呼び接続を要求する。従来法においては、呼び設定信号は、供与ＰＬＭで、発呼スイッチ（図６に図示せず）に接続しているＮ−１スイッチ１００に経路選択される。移動局１２０が経路接続されたことを知らず、かつまだ集中データベース９０に対してデータベース照会を実行することなく、受信した入り呼び接続が、供与ＨＬＲ１３０（信号および呼び接続２１０）と関連した供与ＧＭＳＣ１８０に経路選択される。ＩＡＭなどの送信された呼び設定信号は、さらに、Ｎ−１スイッチ１００を表す第のネットワークアドレスおよび任意パラメータ内の受信した入り呼び接続を表す呼び識別子を有する。そのような任意パラメータは、包括アドレスパラメータを有する。次に、供与ＧＭＳＣ１８０は、受信したＭＳＩＳＤＮ番号と関連した移動局が接続確立されていることを決定する。そのような決定は、そのＭＳＩＳＤＮが接続確立されていることを示すデータを記憶している供与ＧＭＳＣ１８０内のレジスタを評価することによって行われる。代替案として、供与ＧＭＳＣ１８０は、受信したＭＳＩＳＤＮ番号によって表わされる供与ＨＬＲ１３０に、経路選択指令を要求する従来信号３０５を送る。その後、供与ＨＬＲ１３０が、ＭＳＩＳＤＮ番号がもはや登録されていないことを決定し、そして経路選択が利用可能ではないこと及び移動局１２０が接続確立されていることを、供与ＧＭＳＣ１８０に知らせる信号３１０を戻す。そのような信号に応答して、供与ＧＭＳＣ１８０は、Ｎ−１スイッチ１００を表わす第２のネットワークアドレス及び入り呼び接続を表わす呼び識別子を持つ、ＳＣＣＰ基準信号等の別のコネクションレス信号２７０を、集中データベース９０に送信する。集中データベース９０は、その後取得ＧＭＳＣ２００、さらに詳細には、取得ＨＬＲ１５０を表わすネットワークアドレスを、レジスタ２６０から受信する。取り込まれたネットワークアドレスを有する別のコネクションレス信号２８０は、新たな行き先アドレスとして供与ＧＭＳＣ１８０から受信した第２のネットワークアドレスを用いているＮ−１スイッチ１００へ送信される。送信された信号２８０は、さらに入り呼び接続を表わす呼び識別子を有する。
信号２８０を受信すると、Ｎ−１スイッチ１００は、呼び相手側移動局１２０が接続確立されていることを決定し、従って供与ＧＭＳＣ１８０を持つ第１の呼び接続２１０をリリースする。以後、Ｎ−１スイッチ１００は、その呼び接続を、新たなＣｄＰｎとして受信されたネットワークアドレスを用いている取得ＧＭＳＣ２００に再経路選択する。接続確立された移動局１２０と関連したＭＳＩＳＤＮ番号は、さらに、従来法におけるＧＡＰに含まれる。取得ＧＭＳＣ２００によって新たに送信されたＩＡＭなどの呼び設定信号を受信した後、その取得ＧＭＳＣ２００は、受信したネットワークアドレスをさらに解析することによって、接続確立された移動局１２０を現に受け持っている取得ＨＬＲを決定する。そのような決定に応答して、取得ＧＭＳＣ２００は、モービルアプリケーションパート（ＭＡＰ）基準信号３２０を、経路選択指令を要求する取得ＨＬＲ１５０に送る。ＭＡＰ基準信号３２０は、さらに、接続確立された移動局と関連したＭＳＩＳＤＮ番号を有する。取得ＨＬＲ１５０は、カバー領域内を移動する移動局１２０を同定し、移動切替センター３４０（ＭＳＣ）が、接続確立された移動局１２０に移動サービスを現に与えることを決定し、ローミング番号を要求する別のＭＡＰ基準信号３４５を、決定したＭＳＣ３４０に送信する。次に、ＭＳＣ３４０は、受け持っているＭＳＣ３４０を表わすローミング番号を信号３５０を介して取得ＨＬＲに戻す。取得ＨＬＲ１５０は、その後、受信したローミング番号を信号３３０を介して取得ＧＭＳＣ２００に送る。行き先アドレスとして受信したローミング番号を利用している従来法においては、取得ＧＭＳＣ２００は、受信した入り呼び接続を受け持ちのＭＳＣ３４０に再経路選択する。受け持ちのＭＳＣ３４０、その後、接続確立された移動局１２０をページ化し、呼び側加入者端末３０と接続確立された移動局１２０との間に呼び接続を確立する。その結果、接続確立された通信端末に対してのみ集中データベース照会を実効しながら、接続確立された通信端末への呼び接続が確立される。
本発明の方法および装置の好適な実施例が、添付図面に示され、かつ上述の詳細な説明において説明されたが、本発明は開示された実施例に限定されるものではなく、幾多の再構成、変形、置換ができることを理解されたい。
【図１】
0003916090.tif 000002
【図２】
0003916090.tif 000003
【図３】
0003916090.tif 000004
【図４】
0003916090.tif 000005
【図５】
0003916090.tif 000006
【図６】
0003916090.tif 000007